(57)【要約】【課題】本発明の課題は、透明性かつ安定性のある水性柔軟剤の製造を容易にすることにある。【解決手段】ジアルキルジメチルアンモニウム化合物Ａと脂肪酸ジメチルアミノプロピルアミド化合物Ｂとを含む柔軟剤を提供する。  上記成分に更に界面活性剤やアルコールである可溶化剤を添加することが望ましく、これら成分を水に混合し、加熱攪拌すれば透明かつ安定な柔軟剤水溶液を調製することが出来る。【特許請求の範囲】
【請求項１】
下記の構造式
【化１】
2006097183.tif 000008
こゝにＲ1 、Ｒ2 は炭素数１０〜２０の直鎖または分岐アルキル基
Ａは塩基である
を有する４級アンモニウム化合物Ａと、
下記構造式
【化２】
2006097183.tif 000009
こゝにＲ3 は炭素数１０〜２０の直鎖または分岐アルキル基
を有する３級アミン化合物Ｂとを含有することを特徴とする水性柔軟剤。
【請求項２】
上記４級アンモニウム化合物Ａと上記３級アミン化合物Ｂとは９０：１０〜９５：５の質量比の範囲で含有されている請求項１に記載の水性柔軟剤。
【請求項３】
上記水性柔軟剤には可溶化剤としてアニオン性界面活性剤および／またはノニオン性界面活性剤が含有されている請求項１または２に記載の水性柔軟剤。
【請求項４】
上記水性柔軟剤には可溶化剤として多価アルコールおよび／または一価アルコールが含有されている請求項１〜３に記載の水性柔軟剤。
【発明の詳細な説明】
【技術分野】
【０００１】
本発明は水性柔軟剤に関するものである。
【背景技術】
【０００２】
従来、透明液体柔軟剤として脂肪酸エステル基を有する４級アンモニウム化合物と、アルキル基変性脂肪酸アミド基を有する４級アンモニウム化合物とを含有する組成物からなる柔軟剤（例えば特許文献１参照）、あるいは脂肪酸エステル基とアルキル基変性脂肪酸アミド基とを有する４級アンモニウム化合物からなる柔軟剤（例えば特許文献２参照）が提供されている。
上記柔軟剤は透明な水溶液を与えるとされている。
【０００３】
【特許文献１】特開２０００−３２８４５４号公報
【特許文献２】特願２０００−３５５８７６号公報
【発明の開示】
【発明が解決しようとする課題】
【０００４】
上記従来の柔軟剤は透明な溶液を得るには、成分と水とを５０〜８０℃で混合した後、０〜３０℃に冷却し、再度５０〜８０℃に加熱し、再度０〜３０℃に冷却すると云う手間のかゝる製造方法が必要であった。
【課題を解決するための手段】
【０００５】
本発明は上記従来の課題を解決するための手段として、下記の構造式
【化３】
2006097183.tif 000002
こゝにＲ1 、Ｒ2 は炭素数１０〜２０の直鎖または分岐アルキル基
Ａは塩基である
を有する４級アンモニウム化合物Ａと、
下記構造式
【化４】
2006097183.tif 000003
こゝにＲ3 は炭素数１０〜２０の直鎖または分岐アルキル基
を有する３級アミン化合物Ｂとを含有する水性柔軟剤を提供する。
上記４級アンモニウム化合物Ａと上記３級アミン化合物Ｂとは９０：１０〜９５：５の質量比の範囲で含有されていることが望ましく、また上記水性柔軟剤には可溶化剤としてアニオン性界面活性剤および／またはノニオン性界面活性剤が含有されていることが望ましい。更に上記水性柔軟剤には可溶化剤として多価アルコールおよび／または一価アルコールが含有されていることが望ましい。
【発明の効果】
【０００６】
〔作用〕
本発明の水性柔軟剤にあっては、特に可溶化剤が存在する場合、成分を水に投入して６０〜８０℃程度に加熱するだけで、透明かつ安定な水溶液となる。
【０００７】
〔効果〕
したがって本発明では簡単な方法で、透明かつ安定な柔軟剤を得ることが出来る。
【発明を実施するための最良の形態】
【０００８】
本発明を以下に詳細に説明する。
〔４級アンモニウム化合物〕
本発明に使用する４級アンモニウム化合物Ａは、下記の構造を有するジアルキルジメチルアンモニウム化合物である。
【化５】
2006097183.tif 000004
こゝにＲ1 、Ｒ2 は炭素数１０〜２０の直鎖または分岐アルキル基
Ａは塩基である
特に望ましいアルキル基Ｒ1 、Ｒ2 としては、炭素数１２〜１５の分岐アルキル基がある。
【０００９】
〔３級アミン化合物〕
本発明に使用する３級アミン化合物Ｂは、下記の構造を有する脂肪酸ジメチルアミノプロピルアミドである。
【化６】
2006097183.tif 000005
こゝにＲ3 は炭素数１０〜２０の直鎖または分岐アルキル基
特に望ましいアルキル基Ｒ3 としては、炭素数１５〜２０の直鎖または分岐アルキル基である。
【００１０】
〔可溶化剤〕
上記柔軟剤の主成分である４級アンモニウム化合物Ａと３級アミン化合物Ｂとを水に容易に溶け易くするために、可溶化剤を使用することが望ましい。上記可溶化剤としてはアニオン性界面活性剤および／またはノニオン性界面活性剤と、多価アルコールおよび／または一価アルコールとがある。
【００１１】
上記アニオン性界面活性剤としては例えば高級アルコールサルフェート（Ｎａ塩またはアミン塩）、ポリオキシアルキレンアルキルエーテル硫酸塩、アルキルアリルスルフォン酸塩（Ｎａ塩またはアミン塩）、アルキルジフェニルエーテルジスルホン酸ナトリウム、アルキルナフタレンスルフォン酸塩（Ｎａ塩またはアミン塩）、アルキルナフタレンスルフォン酸塩縮合物、アルキルフォスフェート、ジアルキルスルフォサクシネート、ロジン石鹸、脂肪酸塩（Ｎａ塩またはアミン塩）等のアニオン性界面活性剤がある。
【００１２】
上記ノニオン性界面活性剤としては、例えばポリオキシアルキレンアルキルエーテル、ポリオキシアルキレンアルキルフェノールエーテル、ポリオキシアルキレンアルキルエステル、ポリオキシアルキレンアルキルアミン、ポリオキシアルキレンアルキロールアミン、ポリオキシアルキレンアルキルアマイド、ソルビタンアルキルエステル、ポリオキシアルキレンソルビタンアルキルエステル等のノニオン性界面活性剤等がある。
【００１３】
望ましいアニオン性界面活性剤としてはポリオキシアルキレンアルキルエーテル硫酸塩があり、望ましいノニオン性界面活性剤としてはポリオキシアルキレンアルキルエーテルがある。更に具体的にはポリオキシエチレンラウリルエーテル硫酸ナトリウム、ポリオキシプロピレンラウリルエーテル硫酸ナトリウム、ポリオキシエチレンステアリルエーテル硫酸ナトリウム、ポリオキシプロピレンステアリルエーテル硫酸ナトリウム、ポリオキシエチレンラウリルエーテル、ポリオキシプロピレンラウリルエーテル、ポリオキシエチレンステアリルエーテル、ポリオキシプロピレンステアリルエーテル等がある。
【００１４】
望ましい多価アルコールとしては、例えばエチレングリコール、プロピレングリコール、グリセリン、ソルビトール、トリメチロールプロパン、ヘキサントリオール、トリメチロールエタン、ペンタエリスリトール等があり、望ましい一価アルコールとしては、例えばエチルアルコール、イソプロピルアルコール、ｎ−ブチルアルコール、ｉｓｏ−ブチルアルコール、ｔ−ブチルアルコール等炭素数４以下の低級アルコールがある。
【００１５】
〔ｐＨ調節剤〕
本発明にあっては、所望なれば柔軟剤のｐＨを調節するために、ｐＨ調節剤を使用してもよい。該ｐＨ調節剤としては、通常、蓚酸、クエン酸、酒石酸、フタル酸、フマル酸、リンゴ酸等の有機酸が使用される。
本発明の柔軟剤は通常ｐＨ２〜５の範囲に調節される。
【００１６】
〔柔軟剤の調製〕
上記４級アンモニウム化合物Ａと、３級アミン化合物Ｂとは、通常９０：１０〜９５：５質量比に混合される。この比率範囲で柔軟剤は良好な柔軟効果と透明安定性を有する。
可溶化剤を併用した場合の望ましい配合比率を下記に示す。
４級アンモニウム化合物Ａ        ２０〜３０  質量％
３級アミン化合物Ｂ                １〜３      〃
アニオン性界面活性剤          ０．３〜１．０  〃
ノニオン性界面活性剤              ５〜１０    〃
多価アルコール                  １０〜２０    〃
一価アルコール                    １〜５      〃
ｐＨ調節剤（有機酸）              １〜２      〃
水                            残余
通常上記４級アンモニウム化合物Ａ、３級アミン化合物Ｂ、アニオン性界面活性剤およびノニオン性界面活性剤からなる固形分は柔軟剤溶液中に３０〜４０質量％含まれる。
【００１７】
上記柔軟剤を調製するには、上記成分を水に投入し通常６０〜８０℃に加熱して攪拌混合溶解する。攪拌混合は通常１０〜２０分程度行なわれ、このような短時間で、透明かつ安定な水性柔軟剤が得られる。
【００１８】
〔実施例〕
下記表１の処方を７０℃に加熱して１０分攪拌混合した。
【表１】
2006097183.tif 000006
【００１９】
得られた水性柔軟剤は透明かつ安定性に富む。上記柔軟剤の透明性および安定性を評価した。透明性および安定性の評価は、製造直後の試料と、製造後室温で１ヶ月保管した場合の試料とを、島津製作所ＵＶ−２５００ＰＣ型測定機器にて、光路長１０ｍｍの石英セルを使用し、２６６０ｎｍの波長の光透過率を求めた。対照としてはイオン交換水を使用した。結果を表２に示す。
【００２０】
【表２】
2006097183.tif 000007
【００２１】
上記結果より、本発明の柔軟剤では透明性が長期にわたって良好に維持されることが確認された。
【産業上の利用可能性】
【００２２】
本発明では、透明かつ安定な水性柔軟剤を簡単に製造することが出来る。